【事件の表示】
　上記当事者間の登録第４８２８６６７号商標の登録取消審判事件について、次のとおり審決する。
【結　論】
　登録第４８２８６６７号商標の指定役務中、「第４２類　ポリエチレン反応装置のコンピュータベース制御用ソフトウェアの設計・開発，ポリエチレン反応装置のコンピュータベース制御用ソフトウェアのインストール，ポリエチレン反応装置の操作用ソフトウェアの設計・開発，ポリエチレン反応装置の操作用ソフトウェアのインストール」については、その登録は取り消す。
　審判費用は、被請求人の負担とする。
【理　由】
第１　本件商標
　本件登録第４８２８６６７号商標（以下「本件商標」という。）は、「ＰＲＥＭＩＥＲ」の欧文字を標準文字で表してなり、２００３年５月５日にアメリカ合衆国においてした商標登録出願に基づきパリ条約第４条による優先権を主張して、平成１５年５月２２日に登録出願、第４２類「ポリエチレン反応装置のコンピュータベース制御用ソフトウェアの設計・開発，ポリエチレン反応装置のコンピュータベース制御用ソフトウェアのインストール，ポリエチレン反応装置の操作用ソフトウェアの設計・開発，ポリエチレン反応装置の操作用ソフトウェアのインストール，ポリエチレンをベースとした製品の製造技術に関する情報の提供，気相流動層ポリエチレン反応装置の加工技術に関する情報の提供」及び第４１類に属する商標登録原簿記載のとおりの役務を指定役務として、同１６年１２月２４日に設定登録されたものである。
　そして、本件審判の請求の登録は、平成２２年４月２８日にされた。
　
第２　請求人の主張
　請求人は、結論同旨の審決を求めると申し立て、その理由及び答弁に対する弁駁の理由を要旨次のように述べ、証拠方法として、本件商標の商標登録原簿謄本及び商標公報を提出した。
１　請求の理由
　商標権者は、本件審判の請求前３年以内に日本国内において本件商標を指定役務中、「第４２類　ポリエチレン反応装置のコンピュータベース制御用ソフトウェアの設計・開発，ポリエチレン反応装置のコンピュータベース制御用ソフトウェアのインストール，ポリエチレン反応装置の操作用ソフトウェアの設計・開発，ポリエチレン反応装置の操作用ソフトウェアのインストール」について使用していない。よって、本件商標は商標法第５０条の規定により、その登録の取消しを免れないものである。
２　弁駁の理由
（１）プレゼンテーション資料について
　ア　乙第１号証は、英語の資料であり、添付された一部の訳文によっては、その内容を十分に把握することができない。一応、被請求人の主張を検討すると、一部に本件商標と同様の「ＰＲＥＭＩＥＲ」の文字や、商標権者の名称の英語表記らしきものは見えるが、同人であることを特定するための住所の表示が欠けており、該資料の作成者が商標権者であるかは確認できない。
　また、該資料中の「November 11, 2008」の表示のみによっては、当該プレゼンテーションが２００８年１１月１１日に我が国において行われたとすることはできないし、添付の訳文に照らすと表紙においての「戦略連合会議」というものが開かれているにすぎず、そのような会議が被請求人のいう広告活動といえるものかは不明であり、その裏付けとなる事実は何ら示されていないから、該資料が本件商標の使用を証明する証拠となるということはできない。
　イ　乙第３号証は、上記とは別会社を対象としたプレゼンテーション資料であり、ここには本件商標の表示とともに、商標権者の名称や「November 2008」の日付が記載されているため、これをもって我が国での本件商標の使用が証明されるというものであるが、該資料の作成が商標権者によるものか住所・名称による特定がなされておらず、プレゼンテーションというもののその実態が不明であることは、乙第１号証と同様である。
（２）本件指定役務について
　乙第１号証について、被請求人は、該資料に記載の「PE（ポリエチレン）」「operations training（操作の訓練）」、「Software（ソフトウェア）」、「transitions（移行、変更）」及び「resin（樹脂）」とのことばを取り出し、総合すると本プレゼンテーションは、「ポリエチレンに関する装置に使用されるソフトウェアの設計・開発・インストール」に係るものであると主張する。
　また、乙第３号証では「resin（樹脂）」との記載がないものの、上記と同じ主張をする。
　上記主張は、断片的な単語を取り出して、それを総合することでひとまとまりの役務らしきものを作り出すものであるが、このような主張に十分な説得力があるということはできない。
　本件指定役務は、簡単には「ソフトウェアの設計・開発」と「ソフトウェアのインストール」であるが、上記の単語には、ソフトウェアの「設計」あるいは「開発」を意味することばも、またそれを直ちに連想させることばも含まれていないものであって、この点は「インストール」についても同様である。
　加えて、本件指定役務にいうソフトウェアの設計・開発・インストールは、「ポリエチレン反応装置のコンピュータベース制御用ソフトウェア」の設計・開発・インストールであり、また、「ポリエチレン反応装置の操作用ソフトウェア」の設計・開発・インストールである。
　この点、被請求人は、本件プレゼンテーション資料が、「ポリエチレンに関する装置に使用されるソフトウェア」の設計・開発・インストールに係るものであるとするが、これは本件指定役務に対応していない。
（３）まとめ
　以上のとおり、乙第１号証及び乙第３号証からは、これが商標権者の作成によるのか、該資料を用いた会議が我が国で開催されたのか、当該会議資料への商標の記載が本件商標の使用といえるのかといった事柄が何ら裏付けられていない。また、該資料の所々に記されたものにより、それが本件指定役務に該当するのか、そもそもそこでいう役務が独立した取引対象として提供されているのかといった事項も全く不明である。
　したがって、本件商標がその指定役務について使用されていたことは証明されない。
　
第３　被請求人の答弁
　被請求人は、本件審判の請求は成り立たない、審判費用は請求人の負担とする、との審決を求めると答弁し、その理由を要旨次のように述べ、証拠方法として、乙第１号証ないし乙第３号証を提出した。
１　乙第１号証は、東洋エンジニアリング株式会社（以下「東洋エンジニアリング社」という。）を対象にしたプレゼンテーション資料である。
（１）本件商標が使用されたことについて
　乙第１号証には、欧文字「ＰＲＥＭＩＥＲ」が記載されており、本件商標が使用されている（５５ページないし５７ページ等）。
（２）商標権者等が本件商標を使用したことについて
　乙第１号証には、「Univation TECHNOLOGIES」の文字が記載されており（表紙、５４ページ等）、商標権者がこれを使用してプレゼンテーションを行ったことは明らかである。
　なお、表紙、５４ページ等の該表記には「エルエルシー」の語句は含まれていないが、１１９ページに「Univation TECHNOLOGIES, LLC」の記載があり、商標権者と乙第１号証を使用してプレゼンテーションを行った主体は同一である。
（３）請求の登録前３年以内に本件商標が使用されたことについて
　本プレゼンテーションは、２００８年１１月１１日に行われており、これが本件審判の請求の登録前３年以内に行われたことは明らかである。
（４）本件商標が日本国内で使用されたことについて
　本プレゼンテーションは、日本企業（Toyo Engineering Corp．東洋エンジニアリング社）を対象に行われていることから、日本国内で行われたことに疑いはない。
　確かに、乙第１号証は英語で書かれているが、プレゼンテーターである商標権者は米国法人であり、英語を使用してプレゼンテーションを行うことは便宜である。他方、これを受ける東洋エンジニアリング社は、海外に多くの支店を有していることから、英語でのプレゼンテーションに特に支障はない（乙第２号証）。
（５）本件商標が取消請求に係る役務に使用されたことについて
　乙第１号証には、「ＰＥ」（５４ページないし５６ページ等）、「operations training」（５５ページ、５６ページ）、「Software」（５７ページ）、「transitions」（５７ページ）、及び「resin」（５８ページ）の語句が記載されており、それぞれの意味は、「ＰＥ」は「ポリエチレン」、「operations training」は「操作の訓練」、「Software」は「（コンピュータ）ソフトウェア」、「transitions」は「移行、変更」、及び「resin」は「樹脂」である。
　そして、これらを総合すると、本プレゼンテーションは、「ポリエチレンに関する装置に使用されるソフトウェアの設計・開発・インストール」に係ることが分かる。これは、本件審判請求に係る役務に該当する。
　また、本プレゼンテーションは、上記役務についての広告活動の一つと認められるので、本件商標は商標法上の「使用」がされている。
２　乙第３号証は、日本ポリエチレン株式会社（以下「日本ポリエチレン社」という。）を対象にしたプレゼンテーション資料である。
（１）本件商標が使用されたことについて
　乙第３号証には、欧文字「ＰＲＥＭＩＥＲ」が記載されており、本件商標が使用されている（６０ページないし６２ページ等）。
（２）商標権者等が本件商標を使用したことについて
　乙第３号証には、「Univation TECHNOLOGIES」の文字が記載されており（表紙、３ページ等）、商標権者がこれを使用してプレゼンテーションを行ったことは明らかである。
　なお、表紙、３ページ等の「Univation TECHNOLOGIES」の表記には「エルエルシー」の語句は含まれていないが、６６ページに「Univation TECHNOLOGIES, LLC」の記載があり、商標権者と乙第３号証を使用してプレゼンテーションを行った主体は同一である。
（３）請求の登録前３年以内に本件商標が使用されたことについて
　本プレゼンテーションは、２００８年１１月に行われており、これが本件審判の請求の登録前３年以内に行われたことは明らかである。
　なお、乙第３号証の表示に当るページの日付は「２００７年」となっているが、これは誤記である（その他のページが２００８年となっているので、こちらが正しい表記である。）。
（４）本件商標が日本国内で使用されたことについて
　本プレゼンテーションは、日本企業（Japan Polyethylene Corporation 日本ポリエチレン社）を対象に行われていることから、日本国内で行われたことに疑いはない。
（５）本件商標が取消請求に係る役務に使用されたことについて
　乙第３号証には、「ＰＥ」（３ページ、５９ページ、６０ページ等）、「operations training」（６０ページ、６１ページ）、「Software」（６２ページ）、及び「transitions」（６２ページ）の語句が記載されており、その意味は、前記１（５）のとおりである。
　そして、これらを総合すると、本プレゼンテーションは、「ポリエチレンに関する装置に使用されるソフトウェアの設計・開発・インストール」に係ることが分かる。これは、本件審判請求に係る役務に該当する。
　また、本プレゼンテーションは、上記役務についての広告活動の一つと認められるので、本件商標は商標法上の「使用」がされている。
３　まとめ
　以上のとおり、本件商標が本件審判の請求に係る役務について、請求の登録前３年以内に日本国内において商標権者により、使用されていたことは明らかである。
　
第４　当審の判断
１　認定事実
　被請求人の提出に係る乙第１号証ないし乙第３号証によれば、以下の事実が認められる。
（１）乙第１号証は、商標権者が行ったプレゼンテーション資料（抜粋写し）及びその部分訳文である。
　ア　乙第１号証の表紙には、中央に「Univation Bidding Contractor」、「Strategic Alignment Meeting」、「Toyo Engineering Corp.」、「November 11,2008」の各記載及び部分訳文に「戦略連合会議」、「東洋エンジニアリング株式会社」との記載がされている。
　そして、左上には、一部図案化された「Univation TECHNOLOGIES」が記載されており、これは、各ページの右下にも記載されている。
　また、各ページの左下には、「November 11, 2008」と記載されている。
　イ　乙第１号証の５６ページの下線がされた箇所に「PE Process」と「perations training」の記載、及び部分訳文には「ポリエチレン工程」と「操作の訓練」との記載がされている。
　なお、該ページには「■ ＰＲＥＭＩＥＲ TM（審決注：「TM」の文字は、「ＰＲＥＭＩＥＲ」の右肩に小さく表示されている。以下同じ。） Operations  Improvement Services」の記載、また、５５ページにも「ＰＲＥＭＩＥＲ TM Operations training」の記載がある。
　ウ　乙第１号証の５７ページの下線がされた箇所に「Software」と「Automated transitions」の記載、及び部分訳文には「ソフトウェア　自動化された移行・変更」との記載がされている。
　なお、該「Software」の箇所は「■ ＰＲＥＭＩＥＲ TM Advanced Process Control（APC＋）TM Software」との一連の記載となっている。
　エ　乙第１号証の５８ページの下線がされた箇所に「resin」の記載、及び部分訳文には「樹脂」との記載がされている。
　なお、該ページには「■ ＰＲＥＭＩＥＲ TM Product Enhancement Services」の記載、また、５９ページにも「■ ＰＲＥＭＩＥＲ TM Technology and Performance Support」及び１１９ページの「Trademarks」の見出しの下に、「Univation Technologies, LLC」の記載と共に「ＰＲＥＭＩＥＲ TM」等の記載がある。
（２）乙第２号証は、東洋エンジニアリング社について掲載するウェブページ（写し）とするものであり、「会社概要」の見出しの下に、商号を「東洋エンジニアリング株式会社（Toyo Engineering Corporation）」との記載などがされている。
　また、「海外事務所」の小見出しの下、「北京、上海、ジャカルタ、ドーハ、テヘラン、モスクワ」と記載されている。
（３）乙第３号証は、商標権者が行ったプレゼンテーション資料（抜粋写し）及びその部分訳文である。
　ア　乙第３号証の表紙には、中央に「Japan Polyethylene Corporation」及び「November 2007」の記載並びに部分訳文には「日本ポリエチレン株式会社」との記載がされている。
　そして、左上には、一部図案化された「Univation TECHNOLOGIES」が記載されており、これは、各ページの右下にも記載されている。
　また、各ページの左下には、「November 2008」と記載されている。
　イ　乙第３号証の３ページの下線がされた箇所に「PE Market」と「PE Process」の記載、及び部分訳文には「ポリエチレン市場　ポリエチレン工程」との記載がされている。
　ウ　乙第３号証の５９ページの下線がされた箇所に「PE Process」の記載、及び部分訳文には「ポリエチレン工程」との記載がされている。
　エ　乙第３号証の６０ページの下線がされた箇所に「Operations training」の記載、及び部分訳文には「操作の訓練」との記載がされている。
　なお、該記載箇所は「−ＰＲＥＭＩＥＲ TM Operations Training」との一連の記載であり、また、６１ページには「■ ＰＲＥＭＩＥＲ TM Operations Improvement Services」との記載がある。
　オ　乙第３号証の６２ページの下線がされた箇所に「Software」と「Automated transitions」の記載、及び部分訳文には「ソフトウェア　自動化された移行・変更」との記載がされている。
　なお、該「Software」の箇所は「■ ＰＲＥＭＩＥＲ TM Advanced Process Control（APC＋）TM Software」との一連の記載となっており、また、６４ページには「■ ＰＲＥＭＩＥＲ TM Product Enhancement Services」の記載、６５ページにも「■ ＰＲＥＭＩＥＲ TM Technology and Performance Support」及び６６ページの「Trademarks」の見出しの下にも、「Univation Technologies, LLC」の記載と共に「ＰＲＥＭＩＥＲ」等の記載がある。
２　判断
　前記１の認定事実によれば、以下のように判断できる。
（１）本件商標の使用について
　乙第１号証及び乙第３号証は、商標法第２条第３項第８号に規定する取引書類に該当するものといい得るところ、同号証に記載された「ＰＲＥＭＩＥＲ」の欧文字は、本件商標とつづりを同じくするものであるから、それぞれの称呼及び観念において相違するものではない。
　したがって、上記「ＰＲＥＭＩＥＲ」の文字は、本件商標と社会通念上同一の商標と認められる。
（２）使用者について
　乙第１号証及び乙第３号証の表紙並びに各ページの右下に記載された「Univation TECHNOLOGIES」、最終ページに記載された「Univation Technologies, LLC」は、商標権者の略称ないし名称と認められる。
　そうすると、上記乙各号証は、商標権者に係るプレゼンテーション資料といえるから、本件商標の使用者は商標権者といえる。
（３）使用時期について
　乙第１号証は、「November 11, 2008」の記載、乙第３号証は、「November 2007」又は「November 2008」の記載から、２００７年（平成１９年）１１月又は２００８年（平成２０年）１１月１１日と認められ、これらは本件審判の請求の登録前３年以内に該当する。
　しかし、乙第１号証及び乙第３号証をもって、上記月日にプレゼンテーションが真実行われたとみるべき証拠は、ほかにない。
（４）本件商標の使用をする役務について
　本件審判の請求に係る指定役務は、「第４２類　ポリエチレン反応装置のコンピュータベース制御用ソフトウェアの設計・開発，ポリエチレン反応装置のコンピュータベース制御用ソフトウェアのインストール，ポリエチレン反応装置の操作用ソフトウェアの設計・開発，ポリエチレン反応装置の操作用ソフトウェアのインストール」である。
　乙第１号証及び乙第３号証における「PE Process」、「Software」、「operations training」、「Automated transitions」及び「resin」の各語句は、２以上のページにわたって表示されているものであり、それぞれが「ポリエチレン工程」、「ソフトウェア」、「操作の訓練」、「自動化された移行・変更」、「樹脂」の意味を理解させるとしても、「Software」（ソフトウェア）の語が乙各号証に記載されていることをもって、直ちに取消請求に係る指定役務である「・・・ソフトウェアの設計・開発」又は「・・・ソフトウェアのインストール」を具体的に示すものとは到底いえず、まして、かかる「Software」が「ポリエチレン反応装置のコンピュータベース制御用」又は「ポリエチレン反応装置の操作用」のものであるとみるべき具体的な記述も見いだせない。
　そのほか、乙第１号証及び乙第３号証の記載を総合的にみても、取消請求に係る指定役務のいずれかに該当するものとは認められない。
　してみれば、乙第１号証の５５ページないし５９ページ及び１１９ページ並びに乙第３号証の６０ページないし６２ページ、６４ページないし６６ページに、本件商標と社会通念上同一の商標と認められる「ＰＲＥＭＩＥＲ」の記載があるとしても、これを取消請求に係る指定役務のいずれかについて使用をしていたということはできない。
　これに対して、被請求人は、乙第１号証及び乙第３号証に記載の「PE」は「ポリエチレン」、「operations training」は「操作の訓練」、「Software」は「（コンピュータ）ソフトウェア」、「transitions」は「移行、変更」及び「resin」は「樹脂」であるとし、これらを総合すると、本プレゼンテーションは、「ポリエチレンに関する装置に使用されるソフトウェアの設計・開発・インストール」に係ることが分かると述べて、これは取消請求に係る指定役務に該当する旨主張する。
　確かに、乙第１号証及び乙第３号証に各語句がそれぞれ記載されていることは認められるが、これらの語句を総合して把握したとしても、上記のとおり、取消請求に係る指定役務のいずれかを具体的に示すとみるような合理的な理由やそれを裏付ける証左はない。
　加えて、当審は、被請求人に対して、乙第１号証及び乙第３号証が取消請求に係る指定役務のいずれについての使用を主張するものかについて、平成２３年２月２８日付け審尋により釈明を求めたが、被請求人は何ら釈明するところがない。
　そうすると、乙第１号証及び乙第３号証には、取消請求に係る指定役務のいずれかについて本件商標の使用をしたとはいえない。
　したがって、被請求人の上記主張は、採用することができない。
（５）日本国内における使用について
　乙第１号証及び乙第３号証のプレゼンテーション資料は、いずれも英文のみからなるものであり、前者には、東洋エンジニアリング社と認められる「Toyo Engineering Corp.」の記載があり、後者には、日本ポリエチレン社と推認される「Japan Polyethylene Corporation」の記載が認められる。
　これについて、被請求人は、同人は米国の法人であるから、乙第１号証について、海外に支店を有する東洋エンジニアリング社に対して英語でプレゼンテーションをすることに支障はない旨主張する。
　確かに、外国の法人が日本国内における我が国の法人に対して、英語をもって取引に当たる場合があることを否定するものではないが、乙第１号証のプレゼンテーション資料に記載された東洋エンジニアリング社は、北京、ドーハ等の外国にも事務所を有している（乙第２号証）のであるから、同号証は、外国においてプレゼンテーションされたものとも理解されるものである。
　そして、乙第１号証のプレゼンテーション資料が日本国内で東洋エンジニアリング社に配布又は展示されたことを具体的に裏付ける証左はない。
　したがって、乙第１号証をもって、商標権者が東洋エンジニアリング社に対して日本国内においてプレゼンテーションをしたものと認めることはできない。
　また、被請求人は、乙第３号証について、日本企業である日本ポリエチレン社に対してプレゼンテーションをしたものであるから日本国内において使用した旨主張する。
　しかし、通常、プレゼンテーション資料の表紙には、その内容等を簡潔にまとめた標題などが表記されるものであるが、乙第３号証の表紙は、左上の商標権者の略称と認められる記載を除き、「Japan Polyethylene Corporation」と「November 2007」の記載のほか、プレゼンテーションの内容を表す標題等の記載が認められないものであり、プレゼンテーションをする相手の名称と日付のみを大きく表記することは極めて不自然なものである。
　加えて、乙第３号証の２枚目以降には、「November 2008」と記載されているところ、被請求人は、表紙の「November 2007」は、誤記と主張するが、そもそも、上記のとおり、乙第３号証の表紙が不自然なものである上、プレゼンテーション資料の表紙のみを誤記することも不自然といわざるを得ない。
　そして、乙第３号証のプレゼンテーション資料が日本国内で日本ポリエチレン社に配布又は展示されたことを具体的に裏付ける証左はない。
　したがって、乙第３号証をもって、商標権者が日本国内においてプレゼンテーションをしたものと認めることはできない。
　よって、被請求人の上記各主張は、いずれも採用することができない。
（６）小括
　以上を総合して考慮すれば、商標権者が商標法第２条第３項第８号に規定する取引書類に本件商標と社会通念上同一の商標を付したとしても、日本国内において取消請求に係る指定役務のいずれかについて本件商標を使用したということはできない。
　なお、当審は、平成２３年２月２８日付け審尋により、被請求人に対して、乙第１号証ないし乙第３号証のほかに、本件審判の請求の登録前３年以内に日本国内において商標権者、専用使用権者又は通常使用権者のいずれかが取消請求に係る指定役務のいずれかについて本件商標の使用を証明する証拠の提出を求めたが、被請求人は、新たな証拠を提出するところがない。
３　まとめ
　以上によれば、被請求人は、本件審判の請求の登録前３年以内に日本国内において商標権者、専用使用権者又は通常使用権者のいずれかがその請求に係る指定役務のいずれかについての本件商標の使用をしていたことを証明したものとは認められない。
　したがって、本件商標の登録は、商標法第５０条の規定により、その指定役務中、「結論掲記の役務」について取り消すべきである。
　よって、結論のとおり審決する。